(57)【要約】【課題】ガイド部材の強度の向上を図りつつスリットの開口面積を十分に確保すること。【解決手段】ケース本体１の内部に前面開口１ａを臨む態様で設けられた収納室４と、収納室４に上下方向に沿って複数段設けられた商品載置棚１０と、商品載置棚１０の前端部との間にスリットＳが形成される態様で商品載置棚１０に設けられ、収納室４の前方上部に開口する吹出口３ｂから吹き出された空気がスリットＳを通過して収納室４の前方下部に開口する吸込口３ａに吸い込まれることを許容するガイド部材４０とを備え、ガイド部材４０は、商品載置棚１０の前端部より前方に向けて突出する態様で設けられた左右一対の前延部４１と、前延部４１の前端部分同士を連結する態様で設けられ、商品載置棚１０の商品載置面よりも上方に突出するガイド板４２ａが取り付けられた連結部４２とを備え、前延部４１及び連結部４２は、金属製の棒状部材により構成されている。【選択図】図２
2019122599.tif 000002
【特許請求の範囲】
【請求項１】
ケース本体の内部に該ケース本体の前面開口を臨む態様で設けられた収納室と、
前記収納室に上下方向に沿って複数段設けられた商品載置棚と、
前記商品載置棚の前端部との間にスリットが形成される態様で該商品載置棚に設けられ、かつ前記収納室の前方上部に開口する吹出口から吹き出された空気が該スリットを通過して該収納室の前方下部に開口する吸込口に吸い込まれることを許容するガイド部材と
を備え、前記商品載置棚に載置された商品を所望の温度状態に維持して収納するショーケースにおいて、
前記ガイド部材は、
前記商品載置棚の前端部より前方に向けて突出する態様で設けられた左右一対の前延部と、
前記前延部の前端部分同士を連結する態様で設けられ、かつ前記商品載置棚の商品載置面よりも上方に突出するガイド板が取り付けられた連結部と
を備え、
前記前延部及び前記連結部は、金属製の棒状部材により構成されたことを特徴とするショーケース。
【請求項２】
前記前延部及び前記連結部は、円柱形状を成す１つの棒状部材を屈曲させて構成されたことを特徴とする請求項１に記載のショーケース。
【請求項３】
前記前延部は、前記商品載置棚の前端部の左右両端部分より前方に向けて突出する態様で設けられたことを特徴とする請求項１又は請求項２に記載のショーケース。
【請求項４】
前記ガイド部材は、前記前延部間において一端が前記商品載置棚の前端部に取り付けられ、他端が前記連結部に接合された補強部を備えてなり、
前記補強部は、金属製の棒状部材により構成されたことを特徴とする請求項１〜３のいずれか１つに記載のショーケース。
【発明の詳細な説明】
【技術分野】
【０００１】
本発明は、ショーケースに関し、より詳細には、商品を所望の温度状態に維持して収納するショーケースに関するものである。
【背景技術】
【０００２】
従来、商品を所望の温度状態に維持して収納するショーケースとして、次のようなものが知られている。前面に前面開口を有するケース本体の内部の収納室に、商品載置棚が上下方向に沿って複数段設けられており、それぞれの商品載置棚における棚板に商品が載置されている。また、ケース本体内であって収納室外となる個所には、収納室の前方下部に開口する吸込口を通じて吸い込まれた収納室の内部の空気が通過する空気通路が形成されており、この空気通路には蒸発器が設置されている。この空気通路を通過する空気は、蒸発器で冷却され、その後に収納室の前方上部に開口する吹出口を通じて該収納室に吹き出される。吹出口から吹き出された空気が、吸込口に吸い込まれて空気通路を通過して収納室と空気通路とを循環することにより、ショーケースは、商品載置棚に載置された商品を所望の温度に維持して収納する。
【０００３】
このようなショーケースにおいては、各商品載置棚における棚板の前端部にスリットが形成された棚ガイド板が取り付けられ、吹出口から吹き出された空気がスリットを通過するようにして冷気漏れの低減化を図るようにしていた（例えば、特許文献１参照）。
【先行技術文献】
【特許文献】
【０００４】
【特許文献１】特開２０１１−１６７３８４号公報
【発明の概要】
【発明が解決しようとする課題】
【０００５】
ところで、上記ショーケースを構成する棚ガイド板は、金属製薄板を屈曲等して構成されたもので、棚板の前端部より前方に向けて延在する前延部と、この前延部の延在端部より上方に向けて延在する上延部とを有している。そして、前延部には、棚板の幅方向に沿って複数のスリットが形成されている。
【０００６】
このような棚ガイド板を有するショーケースでは、棚ガイド板が金属製薄板を屈曲して構成されているので、棚板に載置された商品が取り出される際に上延部に当接する等により変形してしまう虞れがあった。しかも、強度をある程度の大きさに保つために前延部におけるスリットの形成面積にも制限があり、スリットの開口面積が十分に確保できない虞れがあった。
【０００７】
本発明は、上記実情に鑑みて、ガイド部材の強度の向上を図りつつスリットの開口面積を十分に確保することができるショーケースを提供することを目的とする。
【課題を解決するための手段】
【０００８】
上記目的を達成するために、本発明に係るショーケースは、ケース本体の内部に該ケース本体の前面開口を臨む態様で設けられた収納室と、前記収納室に上下方向に沿って複数段設けられた商品載置棚と、前記商品載置棚の前端部との間にスリットが形成される態様で該商品載置棚に設けられ、かつ前記収納室の前方上部に開口する吹出口から吹き出された空気が該スリットを通過して該収納室の前方下部に開口する吸込口に吸い込まれることを許容するガイド部材とを備え、前記商品載置棚に載置された商品を所望の温度状態に維持して収納するショーケースにおいて、前記ガイド部材は、前記商品載置棚の前端部より前方に向けて突出する態様で設けられた左右一対の前延部と、前記前延部の前端部分同士を連結する態様で設けられ、かつ前記商品載置棚の商品載置面よりも上方に突出するガイド板が取り付けられた連結部とを備え、前記前延部及び前記連結部は、金属製の棒状部材により構成されたことを特徴とする。
【０００９】
また本発明は、上記ショーケースにおいて、前記前延部及び前記連結部は、円柱形状を成す１つの棒状部材を屈曲させて構成されたことを特徴とする。
【００１０】
また本発明は、上記ショーケースにおいて、前記前延部は、前記商品載置棚の前端部の左右両端部分より前方に向けて突出する態様で設けられたことを特徴とする。
【００１１】
また本発明は、上記ショーケースにおいて、前記ガイド部材は、前記前延部間において一端が前記商品載置棚の前端部に取り付けられ、他端が前記連結部に接合された補強部を備えてなり、前記補強部は、金属製の棒状部材により構成されたことを特徴とする。
【発明の効果】
【００１２】
本発明によれば、ガイド部材が、商品載置棚の前端部より前方に向けて突出する態様で設けられた左右一対の前延部と、前延部の前端部分同士を連結する態様で設けられ、かつ商品載置棚の商品載置面よりも上方に突出するガイド板が取り付けられた連結部とを備え、前延部及び連結部が金属製の棒状部材により構成されているので、従来のように金属製薄板で構成されるのに比して、強度を向上させることができ、しかもスリットの開口面積を必要十分な大きさにすることができる。従って、ガイド部材の強度の向上を図りつつスリットの開口面積を十分に確保することができるという効果を奏する。
【図面の簡単な説明】
【００１３】
【図１】図１は、本発明の実施の形態であるショーケースを示す断面側面図である。
【図２】図２は、図１に示したショーケースの商品載置棚を示す斜視図である。
【図３】図３は、図２に示した商品載置棚の要部を示す斜視図である。
【図４】図４は、図３に示した前枠部及びガイド部材を示す分解斜視図である。
【発明を実施するための形態】
【００１４】
以下に添付図面を参照して、本発明に係るショーケースの好適な実施の形態について詳細に説明する。
【００１５】
図１は、本発明の実施の形態であるショーケースを示す断面側面図である。ここで例示するショーケースは、ケース本体１の内部に商品を所望の温度に維持した状態で収納するものである。尚、以下においては、ケース本体１の内部に商品を所望の冷却温度に維持して収納するようにしたショーケースについて例示する。
【００１６】
ケース本体１は、前面に前面開口１ａを有した断熱筐体であり、その内部に仕切壁２を有している。仕切壁２は、ケース本体１の内部を前後に仕切るもので、後方側にダクト３を構成し、かつ前方側に収納室４を構成している。
【００１７】
ダクト３は、収納室４の前方下部に開口する吸込口３ａを有し、かつ収納室４の前方上部に開口する吹出口３ｂを有したもので、その内部に循環ファンＦ及び蒸発器５を備えている。ダクト３の吸込口３ａ及び吹出口３ｂは、ケース本体１の前面開口１ａを介して互いに対向するように設けてある。循環ファンＦは、モータＭによって回転駆動し、吸込口３ａから外部（収納室４）の空気をダクト３に吸い込む一方、ダクト３の空気を吹出口３ｂから外部（収納室４）に吹き出すように動作するものである。蒸発器５は、図には明示していないが、圧縮機、凝縮器及び膨張機構とともに構成される冷却装置の吸熱要素であり、ダクト３の内部において通過する空気を冷却するように機能する。
【００１８】
収納室４は、商品を収納するためのスペースであり、図２に示すように、仕切壁２の両側部位にそれぞれ左右一対の棚支柱６を備えている。棚支柱６は、収納室４の全高に亘って上下方向に沿って配設してある。それぞれの棚支柱６には、前面に複数の係止孔６ａが長手方向に沿って一定の間隔にて設けてある。
【００１９】
棚支柱６の相互間には、複数の商品載置棚１０が設けてある。商品載置棚１０は、左右一対の棚受け２０と、棚板３０とを備えて構成したもので、左右の棚受け２０を棚支柱６に支持させることにより、図１に示すように、ケース本体１の収納室４に上下方向に沿って並べて配設してある。以下においては、商品載置棚１０の構成要素及び該商品載置棚１０に取り付けられた要素については便宜上、ケース本体１に取り付けた状態でそれぞれの方向を特定することにする。
【００２０】
棚受け２０は、ブラケット２１や支持部材等を備えた従来公知のものであり、その詳細の説明については割愛する。これら左右一対の棚受け２０は、ブラケット２１の係止爪２１ａを棚支柱６の係止孔６ａに挿入して係合させることにより、棚支柱６の前面から前方に突出する態様で取り付けてある。そして、これら棚受け２０は、互いの後端部分が左右方向に沿って延在する連結部材１２により連結してある。
【００２１】
棚板３０は、図２に示すように、棚板枠３１と載置板３２とを備えて構成してある。棚板枠３１は、金属材料から構成される前枠部３１１、後枠部３１２及び左右一対の側枠部３１３を四周枠組みすることによって構成された矩形状を成しており、矩形開口３１４を有している。
【００２２】
載置板３２は、矩形状を成す板状部材である。この載置板３２は、棚板枠３１の矩形開口３１４を閉塞する態様で該棚板枠３１の上面に取り付けてある。かかる載置板３２の上面は、商品を載置するための商品載置面を構成している。
【００２３】
このような棚板３０は、棚板枠３１を構成する側枠部３１３の前方下部がそれぞれ棚受け２０の一部に取り付けられることにより、左右一対の棚受け２０に架け渡されるように配置して商品載置棚１０を構成している。
【００２４】
このように構成される商品載置棚１０には、ガイド部材４０が取り付けてある。ガイド部材４０は、図３及び図４にも示すように、商品載置棚１０の前端部を構成する前枠部３１１に取り付けてある。ここではガイド部材４０の詳細を説明する前に前枠部３１１の構成について説明する。前枠部３１１は、鋼板を屈曲等して形成される前枠本体部３１１ａと前枠カバー部３１１ｂとを有している。
【００２５】
前枠本体部３１１ａは、商品載置棚１０の前端面を構成する前端面構成部分３１１ａ１と、この前端面構成部分３１１ａ１の下端部より漸次下方に傾斜する態様で後方に延在する底面構成部分３１１ａ２と、この底面構成部分３１１ａ２の後端部より上方に向けて延在する後方部分３１１ａ３とを有し、これら前端面構成部分３１１ａ１、底面構成部分３１１ａ２及び後方部分３１１ａ３が一体的に連続することで構成してある。
【００２６】
前枠カバー部３１１ｂは、載置板３２が取り付けられる上面構成部分３１１ｂ１と、この上面構成部分３１１ｂ１の後端部より下方に向けて延在する後面構成部分３１１ｂ２と、上面構成部分３１１ｂ１の前端部より下方に向けて延在した後に後方に向けて漸次下方に傾斜する態様で延在する前方部分３１１ｂ３とを有し、これら上面構成部分３１１ｂ１、後面構成部分３１１ｂ２及び前方部分３１１ｂ３が一体的に連続することで構成してある。
【００２７】
そして、前枠カバー部３１１ｂは、後面構成部分３１１ｂ２が前枠本体部３１１ａの後方部分３１１ａ３の後方側に配置され、かつ前方部分３１１ｂ３が前枠本体部３１１ａの前面構成部分の後方側に配置される態様で前枠本体部３１１ａの上方開口部分を覆うことにより、前枠部３１１が構成してある。
【００２８】
ガイド部材４０は、前延部４１と、連結部４２と、補強部４３とを備えて構成してある。前延部４１は、左右一対のものであり、それぞれ前枠本体部３１１ａの前端面構成部分３１１ａ１の左右両端部に形成された取付孔３１１ｄを挿通して該前枠本体部３１１ａに係合されることで、該前端面構成部分３１１ａ１より前方に向けて突出する態様で設けてある。
【００２９】
連結部４２は、左右方向に沿って延在する長尺状部分であり、前延部４１の前端部分同士を連結する態様で設けてある。つまり連結部４２は、前枠本体部３１１ａ（前枠部３１１）からは前方に離隔しており、前端面構成部分３１１ａ１との間には間隙が形成されている。この連結部４２にはガイド板４２ａが取り付けてある。
【００３０】
ガイド板４２ａは、例えば鋼板を屈曲等して構成されたもので、左右方向が長手方向となる長尺板状部材である。このガイド板４２ａの長手方向の長さは、連結部４２の長手方向（左右方向）の長さよりも僅かに大きく、左右両端部が連結部４２の左右両端部より左右方向の外部に突出している。このようなガイド板４２ａは、連結部４２に例えば溶接等により取り付けてあり、その上端部分は、商品載置棚１０の商品載置面（載置板３２）よりも上方に突出している。
【００３１】
このような前延部４１及び連結部４２は、円柱形状を成す１つの金属製棒状部材を屈曲させて構成してある。つまり前延部４１及び連結部４２は、互いに連続して一体的に構成してある。
【００３２】
補強部４３は、複数（図示の例では３つ）設けてあり、金属製棒状部材により構成してある。これら補強部４３は、前延部４１間において、所定の間隔で前端部分が連結部４２に溶接等により接合してある。そして、これら補強部４３は、前枠本体部３１１ａの前端面構成部分３１１ａ１において、２つの取付孔３１１ｄの間に所定の間隔で設けられた支持孔３１１ｅを挿通して該前枠本体部３１１ａに係合されることで、後端部分が商品載置棚１０に取り付けてある。
【００３３】
このような構成を有するガイド部材４０は、前端面構成部分３１１ａ１（商品載置棚１０の前端面）と、前延部４１と、連結部４２とにより囲繞される空間が複数の補強部４３に区画されて複数（図示の例では４つ）のスリットＳを形成している。
【００３４】
以上のような構成を有するショーケースにおいては、冷却装置が動作している状態で循環ファンＦが駆動すると、吸込口３ａからダクト３に吸い込まれた空気が蒸発器５で冷却された後に吹出口３ｂから吹き出され、各商品載置棚１０に取り付けられたガイド部材４０のスリットＳを通過した後に再び吸込口３ａからダクト３に吸い込まれることになる。この間、ケース本体１の収納室４においては、ダクト３の吹出口３ｂから吹き出された空気や仕切壁２の吐出口（図示せず）から吐出された空気によって冷却することになり、商品載置棚１０に載置された商品を所望の冷却温度に維持した状態で収納することができる。
【００３５】
しかも、ガイド部材４０が、吹出口３ｂから吹き出された空気がスリットＳを通過して吸込口３ａに吸い込まれることを許容しているので、蒸発器５で冷却された空気（冷気）が前面開口１ａを通じてケース本体１の外部に漏れてしまういわゆる冷気漏れの発生を低減することができる。
【００３６】
以上説明したように、本発明の実施の形態であるショーケースによれば、ガイド部材４０が、前端面構成部分３１１ａ１（商品載置棚１０の前端部）より前方に向けて突出する態様で設けられた左右一対の前延部４１と、これら前延部４１の前端部分同士を連結する態様で設けられ、かつ商品載置面よりも上方に突出するガイド板４２ａが取り付けられた連結部４２とを備え、前延部４１及び連結部４２が円柱形状を成す１つの金属製の棒状部材を屈曲させて構成されているので、従来のように金属製薄板で構成されるのに比して、強度を向上させることができ、しかもスリットＳの開口面積を必要十分な大きさにすることができる。従って、ガイド部材４０の強度の向上を図りつつスリットＳの開口面積を十分に確保することができる。
【００３７】
しかも、従来のように金属製薄板に切り抜きによりスリットを形成する場合には、スリット形成部分以外の個所に埃等が溜まる虞れがあるが、前延部４１及び連結部４２が棒状部材を屈曲させているので、埃等が溜まる個所が低減され、埃等を除去するための定期な清掃の回数の低減化を図ることができる。
【００３８】
上記ショーケースによれば、ガイド部材４０が、前延部４１間において一端が商品載置棚１０の前端部に取り付けられ、他端が連結部４２に接合された補強部４３を備え、この補強部４３が金属製の棒状部材により構成されているので、補強部４３自体の強度の向上を図りながら、ガイド部材４０自体の強度を向上させることができる。特に左右一対の前延部４１間の離間距離が大きくて連結部４２の延在長さが大きくなる場合には、強度の向上を顕著に図ることができる。
【００３９】
以上、本発明の好適な実施の形態について説明したが、本発明はこれに限定されるものではなく、種々の変更を行うことができる。
【００４０】
上述した実施の形態では、前延部４１及び連結部４２は、１つの金属製の棒状部材を屈曲させて構成されていたが、本発明においては、前延部４１及び後延部は、それぞれ別個に棒状部材により構成されて溶接等により互いに接合されていてもよい。
【００４１】
上述した実施の形態では、前延部４１及び連結部４２を構成する棒状部材は、円柱形状を成していたが、本発明においては、円柱形状に限られず、円筒形状であってもよいし、多角柱形状を有していてもよい。
【００４２】
上述した実施の形態では、ガイド部材４０は、前延部４１及び連結部４２だけでなく補強部４３を備えて構成されていたが、本発明においては、ガイド部材は前延部及び連結部により構成されていればよく、補強部を有していなくてもよい。
【００４３】
上述した実施の形態では、ガイド部材４０を構成する前延部４１は、前端面構成部分３１１ａ１（商品載置棚１０の前端部）の左右両端部より前方に突出する態様で設けられていたが、本発明においては、商品載置棚の前端部より前方に突出していればその配設個所は特に限定されない。そのため、ガイド部材は、単数である必要はなく、商品載置棚の前端部に左右方向に沿って複数設けられていてもよい。
【符号の説明】
【００４４】
１  ケース本体
１ａ  前面開口
３  ダクト
３ａ  吸込口
３ｂ  吹出口
４  収納室
１０  商品載置棚
２０  棚受け
２１  ブラケット
３０  棚板
３１  棚板枠
３２  載置板
４０  ガイド部材
４１  前延部
４２  連結部
４２ａ  ガイド板
４３  補強部
Ｓ  スリット
【図１】
2019122599.tif 000003
【図２】
2019122599.tif 000004
【図３】
2019122599.tif 000005
【図４】
2019122599.tif 000006